【事件の表示】
　特願２００５−２０２３５１「情報処理装置」拒絶査定不服審判事件〔平成１８年　１月１２日出願公開，特開２００６−　１２１７７〕について，次のとおり審決する。
【結　論】
　本件審判の請求は、成り立たない。
【理　由】
第１　手続きの経緯  
　  
　本願は，特許法第４１条に基づく優先権主張を伴い平成８年１１月２１日（優先日：平成７年１１月２２日，出願番号：特願平７−３０４０３６号）に出願した特許出願（出願番号：特願平８−３１１００９号）の一部を，平成１７年７月１１日に新たな特許出願としたものであって，平成２０年６月３日付けで拒絶査定がなされ，これに対して同年７月１０日に拒絶査定不服審判が請求され，その後平成２１年１１月２４日付けで当審において特許法第２９条第１項柱書違反，及び同法第２９条の２違反の拒絶の理由が通知され，平成２２年２月１日付けで意見書及び手続補正書が提出されたものである。  
　  
　  
第２　本願発明について  
　  
（１）本願発明  
　  
　本願の請求項１に係る発明（以下「本願発明」という。）は，平成２２年２月１日付けの手続補正によって補正された明細書及び図面の記載からみて，特許請求の範囲の請求項１に記載された事項により特定される，以下のとおりのものである。  
　  
「表示ユニットの画面上から選択されたメニュー項目に対応する処理を実行する情報処理装置において，  
　表示ユニットの画面においてメニューを指定する指定手段と，  
　該指定手段の指定操作に応答して，該指定されたメニューに含まれるメニュー項目を，該表示ユニットの画面上において該指定手段にて指定された位置に所定のインターバルにて１つ１つ表示させる制御手段と，  
　所定の操作を検出する検出手段と，  
　該検出手段が所定の操作を検出したときに，表示ユニットの画面上に表示されたメニュー項目を，起動すべきメニュー項目として選択する選択手段とを有し，  
　前記検出手段は，上記指定手段での指定操作を終えるための所定の操作として，前記指定手段が表示ユニットの画面上から離されることを検出する情報処理装置。」  
　  
　  
（２）優先権の効力  
　  
　本願は，特願平７−３０４０３６号（出願日：平成７年１１月２２日）（以下，「優先基礎出願」という。)に基づく優先権の主張を伴うものであるが，以下の理由により，本願発明には優先基礎出願による優先権の効力は及ばない。  
　  
［本願発明には優先基礎出願による優先権の効力が及ばない理由］  
　  
（２−１）請求人の主張 
　 
　請求人は，平成２２年２月１日付け意見書の「（４）拒絶理由Ｂについて」において，「特願平７−３０４０３６号の図１５のポイント装置５１の形状を参照すると，ポイント装置５１がタッチペンであることは自明であると考えます。また，特願平７−３０４０３６号の明細書００６１，００６２段落には「ポイント装置５１のポイント動作が中止したのか否かを監視」という記載があります。タッチペンにおいてはポイント動作が中止したのか否かを，タッチペンがディスプレイ画面から離されたか否かで判定することが自明であると考えます。つまり，請求項１の「前記検出手段は，上記指定手段での指定操作を終えるための所定の操作として，前記指定手段が表示ユニットの画面上から離されることを検出する」点は特願平７−３０４０３６号に記載された事項から自明な事項であると考えます。」と主張している。  
　 
　 
（２−２）優先基礎出願の願書に最初に添付された明細書及び図面  
　  
　優先基礎出願の願書に最初に添付された明細書及び図面（以下，「基礎明細書等」という。）には，ディスプレイ画面にメニューを表示してメニュー項目の選択を行う情報処理装置について，図面とともに以下の事項が記載されている。  
　  
（ア）「ディスプレイ画面にメニューを表示する情報処理装置において，  
　メニュー表示の指示が発行されるときに，ポインティング手段の指すディスプレイ画面上の位置に，指示されたメニューの持つメニュー項目を順番に表示する表示手段と，  
　上記表示手段がメニュー項目を表示しているときに，上記ポインティング手段のポイント動作の中止を検出する検出手段と，  
　上記検出手段がポイント動作の中止を検出するときに，その検出時点に表示されるメニュー項目を動作指示のメニュー項目として選択する選択手段とを備えることを，  
　特徴とする情報処理装置。」（特許請求の範囲【請求項７】）  
　  
（イ）「一方，図２に原理構成を図示する本発明の情報処理装置１は，ディスプレイ画面にメニューを表示しつつデータ処理を実行するものであって，ディスプレイ手段４０と，ポインティング手段４１と，入出力制御手段４２と，メニュー項目管理手段４３と，判断手段４４と，表示手段４５と，検出手段４６と，選択手段４７とを備える。  
【００２３】  
　このディスプレイ手段４０は，ディスプレイ画面を表示する。ポインティング手段４１は，ディスプレイ画面をポイントする。入出力制御手段４２は，ディスプレイ手段４０／ポインティング手段４１との間のインタフェース処理を実行する。  
【００２４】  
　メニュー項目管理手段４３は，表示対象となるメニュー項目を管理する。判断手段４４は，メニュー表示の指示が発行されたのか否かを判断する。表示手段４５は，ディスプレイ画面に，メニュー項目管理手段４３の管理するメニュー項目を順番に表示する。検出手段４６は，ポインティング手段４１のポイント動作の中止を検出する。選択手段４７は，動作指示のメニュー項目を選択する。  
【００２５】  
　このように構成される図２に原理構成を図示する本発明の情報処理装置１では，判断手段４４がメニュー表示の指示の発行を判断すると，表示手段４５は，ポインティング手段４１の指すディスプレイ画面上の位置に，メニュー項目管理手段４３の管理する指示されたメニューの持つメニュー項目を順番に表示する。  
【００２６】  
　このメニュー項目の表示時に，検出手段４６は，ポインティング手段４１のポイント動作の中止を検出し，これを受けて，選択手段４７は，検出手段４６の検出時点に表示されるメニュー項目を動作指示のメニュー項目として選択する。  
【００２７】  
　このように，図２に原理構成を図示する本発明の情報処理装置１は，ポインティング手段４１のポイント動作に応答してメニュー項目を順番に表示していくとともに，そのポイント動作の中止により動作指示のメニュー項目を選択していく構成を採ることから，ユーザがとても親しみを持てるようになる。」（段落【００２２】〜【００２７】）  
　  
（ウ）「次に，図２に原理構成を図示した本発明の情報処理装置１を実施例に従って詳細に説明する。  
　図１３に，図２に原理構成を図示した本発明の情報処理装置１の一実施例を図示する。  
【００５９】  
　この図に示すように，本発明の情報処理装置１は，ディスプレイ装置５０／ポイント装置５１／キーボード装置５２の他に，ディスプレイ画面に表示するメニュー情報を管理するメニューファイル５６と，メニュー選択の制御処理を実行するメニュー処理機構５７とを備える。  
【００６０】  
　図１４に，このメニュー処理機構５７の実行する処理フローの一実施例を図示する。次に，この処理フローに従って本発明を詳細に説明する。  
　メニュー処理機構５７は，ユーザからメニュー表示の指示があると，この図１４の処理フローに示すように，先ず最初に，ステップ１で，表示指示のあるメニューの持つメニュー項目をメニューファイル５６から読み出して，それらのメニュー項目をポイント装置５１の指すディスプレイ画面上の位置に順番に表示する。例えば，図１５に示すように，「移動」，「複写」，「挿入」，「削除」といったメニュー項目があるときには，それを順番に表示するのである。  
【００６１】  
　続いて，ステップ２で，ポイント装置５１のポイント動作が中止したのか否かを監視して，中止していないことを判断するときには，ステップ１に戻ってメニュー項目の表示を続行していく。  
【００６２】  
　一方，ステップ２で，ポイント装置５１のポイント動作の中止を検出すると，ステップ３に進んで，その中止時点にディスプレイ画面に表示しているメニュー項目を動作指示のメニュー項目として選択して処理を終了する。例えば，図１５に示すように，「移動」というメニュー項目を表示しているときに，ポイント装置５１のポイント動作が中止されると，それを動作指示のメニュー項目して選択して処理を終了するのである。  
【００６３】  
　このようにして，メニュー処理装置５７は，この図１４の処理フローに従って，従来とは全く異なるメニュー項目の選択方法の提供を実現している。」（段落【００５８】〜【００６３】）  
　  
（エ）「そして，本発明の情報処理装置では，メニュー項目を順番に表示していく構成を採って，ポイント動作の中止に応答して動作指示のメニュー項目を選択していく構成を採ることから，ユーザがとても親しみを持てるようになる。」（段落【００６５】）  
　  
（オ）【図１５】には，「ディスプレイ画面」という文字列が付され，点線で描かれた矩形の中に，各々が「編集」，「印刷」などの文字列を囲む複数の矩形が並べて描かれており，また，符号「５１」が付された棒状の図形が，その一端が「編集」を囲む矩形と重なるように描かれ，さらに，「移動」という文字列を囲む吹き出し状の図形が，前記一端とほぼ同じ位置に描かれている。  
　  
　  
（２−３）判断  
　 
　基礎明細書等には，本願発明の「前記検出手段は，上記指定手段での指定操作を終えるための所定の操作として，前記指定手段が表示ユニットの画面上から離されることを検出する」という事項について明示的には記載されていない。そこで，当該事項が基礎明細書等の記載から自明な事項であるか否かについて検討する。 
　 
　本願発明は，「該指定手段の指定操作に応答して，該指定されたメニューに含まれるメニュー項目を，該表示ユニットの画面上において該指定手段にて指定された位置に所定のインターバルにて１つ１つ表示させる制御手段と，」「該検出手段が所定の操作を検出したときに，表示ユニットの画面上に表示されたメニュー項目を，起動すべきメニュー項目として選択する選択手段とを有」するものであるから，本願発明の「前記指定手段が表示ユニットの画面上から離されること」とは，前記指定手段が表示ユニットの画面上に触れていた状態から離された状態に遷移したこと，を含む概念であると解される。 
　
　一方，基礎明細書等には，表示手段４５は，ポインティング手段４１の指すディスプレイ画面上の位置に，指示されたメニューの持つメニュー項目を順番に表示することが記載されており（上記「（２−２）優先基礎出願の願書に最初に添付された明細書及び図面（イ）」の段落【００２５】を参照。），ここで，メニューの指定は，ポインティング手段４１を用いて為されるものと解されるから，本願発明の「上記指定手段」すなわち「表示ユニットの画面においてメニューを指定する指定手段」は，基礎明細書等に記載された「ポインティング手段４１」に相当する。ただし，基礎明細書等には，ポインティング手段４１全体の具体的構成は記載されていない。
　
　基礎明細書等の段落【００２３】には，「ポインティング手段４１は，ディスプレイ画面をポイントする。」と記載されているから（上記「（２−２）優先基礎出願の願書に最初に添付された明細書及び図面（イ）」を参照。），基礎明細書等に記載された「ポイント動作」は，ポインティング手段４１を利用してディスプレイ画面をポイントする操作を含むものと解され，また「検出手段４６」は，ポインティング手段４１を利用してディスプレイ画面をポイントする操作を中止する操作を検出するものと解されるから，本願発明の「前記検出手段」すなわち「所定の操作を検出する検出手段」は，基礎明細書等に記載された「検出手段４６」に相当する。 
　
　基礎明細書等には，検出手段による検出内容としては，検出手段４６が，ポインティング手段４１のポイント動作が中止したのか否かを検出することのみが記載されており（メニュー処理機構５７については，入出力制御機構４２，判断手段４４，表示手段４５，検出手段４６，選択手段４７の機能を兼ね備えた機構の一実施例であって，検出手段４６と対応する部分の処理内容については，検出手段４６による処理と同等である。），検出手段４６が，ポインティング手段４１のポイント動作を中止する操作として，何を検出するのかについて，具体的構成は記載されていない。
　
　そこで，基礎明細書に記載されたポインティング手段，及び，ポインティング手段のポイント動作を中止する操作を検出する検出手段の具体的構成について，優先基礎出願の出願当時における公知技術を参酌することとする。 
　 
　 
＜公知例１記載技術＞ 
　例えば，特開平６−１１０６１０号公報の段落【００１２】〜【００２０】，【図１】には，「ＣＲＴ表示装置３の表示面４から離れた第１の所定位置に，非接触型の第１のタッチパネル５を装着し，当該表示面４から離れた第１の所定位置よりも表示面４により近い第２の所定位置に，非接触型の第２のタッチパネル６を装着した座標入力装置であって，表示面４に表示中の選択項目の表示位置に指７を接近させると，第１のタッチパネル５にて検出した指７の位置情報５ａに従い表示面４の該当位置にシアン色の十字カーソルが表示され，さらに表示面４に指７を接近させると，第２のタッチパネル６にて指７の接近検出信号６ａがＣＲＴ表示制御装置１に送られ，ＣＲＴ表示制御装置１ではその時のカーソル表示位置が入力座標位置として検出されて計算機２に送られ，同時に十字カーソルの色がオレンジ色に変えられ，その後接近検出信号６ａが入力されている状態で位置情報５ａが変化してもこの変化は無視され，次に，指７を表示面４から離して第２のタッチパネル６から接近検出信号６ａが出力されなくなると十字カーソルの色がシアン色に戻り，さらに指７を離して第１のタッチパネル５から位置情報５ａが出力されなくなると十字カーソルの表示が消去される，座標入力装置。」（以下，「公知例１記載技術」という。）が記載されている。 
　ここで，第１のタッチパネル５及び指７からなる構成は，基礎明細書等に記載された「ポインティング手段４１」に相当する。  
　 
＜公知例２記載技術＞ 
　特開平２−７３４１９号公報の第２ページ右上欄第２行〜左下欄第１５行，第４ページ左下欄第１行〜右下欄第１４行，第１図，第６（ａ）〜（ｃ）図には，「受光素子４を備えた映像表示装置８から離れた所で，直行する２方向へレーザー光２を出力できる遠隔指示棒１を用いて指示入力を行う遠隔指示入力装置であって，各受光素子４の情報をもとに演算回路６が遠隔指示棒１の指示ポイント７の座標値を求め，得られた座標値をホストコンピュータに与えると，ホストコンピュータはこの座標値を受けて映像表示装置８上にカーソルを表示し，使用者は自分が意図する位置にカーソルを移動させたことを確認したら，ホストコンピュータへの送信ライン３２に接続されたトリガーボタン３１を押して，その時点の座標位置をホストコンピュータに知らせる，遠隔指示入力装置。」（以下，「公知例２記載技術」という。）が記載されている。  
　ここで，遠隔指示棒１，受光素子４，演算回路６からなる構成は，基礎明細書等に記載された「ポインティング手段４１」に相当する。 
　 
＜公知例３記載技術＞ 
　特開平６−１２１７７号公報の段落【００１０】〜【００１６】，【００４４】〜【００４５】，【図１】〜【図３】，【図１４】〜【図１７】には，「グローブ，グローブ位置・方向センサ部１，グローブ位置検出部２，グローブ方向検出部３，グローブ形状センサ４，情報処理装置７，及び指示選択判断部１０を備え，グローブ位置情報とグローブ形状情報に基づいて情報表示面上の図形を指示選択する情報入力装置であって，グローブ形状情報が人指し指で指していると判断した場合に指示選択機能を有効とし，指示選択判断部１０において，グローブ位置情報によりグローブ（手）の位置が仮想的なしきい面の手前にあることを判断すると未確定状態を示す指示選択情報１１にしたがってグローブ（手）の位置を情報表示面上に投影したポインタ（矢印）を表示し，グローブ位置情報によりグローブ（手）の位置が情報表示面に近づき情報表示面とユーザの間に設けられた仮想的なしきい面１を越えたと判断すると選択確定情報を出力し，グローブ（手）の位置が更に近づき仮想的なしきい面２を越えたと判断すると変形命令を出力し，その後グローブ（手）の位置が再びしきい面２を横切ったならば無選択状態に戻る，情報入力装置。」（以下，「公知例３記載技術」という。）が記載されている。
　ここで，グローブ，グローブ位置・方向センサ部１，グローブ位置検出部２，グローブ方向検出部３，グローブ形状センサ４，情報処理装置７，及び指示選択判断部１０からなる構成は，基礎明細書等に記載された「ポインティング手段４１」に相当する。 
　 
　 
　そして，一般に「中止」とは，「中途でやめること。」「［計画を］とりやめること。」（見坊豪紀ほか編，「三省堂国語辞典」，株式会社三省堂，第４版（小型版），第７３５ページ）を意味するから，基礎明細書等に記載された，ポインティング手段４１のポインティング動作の中止，すなわちポインティング動作のとりやめ，を検出する検出手段４６は，公知例１記載技術において，いったん表示面４に接近した指７が表示面４から離れたことを表示面４から離された所定位置で検出する「第１のタッチパネル」により実現可能である。
　 
　また，公知例２記載技術の受光素子４が遠隔指示棒１からのレーザー光を受光しなくなれば，演算回路６は指示ポイント７の座標値を求めることができなくなるから，前記検出手段４６は，公知例２記載技術の受光素子４及び演算回路６によって実現することも可能である。 
　 
　さらに，公知例３記載技術の指示選択判断部１０は，グローブ（手）の位置が，情報表示面とユーザの間に設けられた仮想的なしきい面２を越えて情報表示面に近づいた後，しきい面２を横切って，情報表示面から離れたことを検出するものと解されるから，前記検出手段４６は，公知例３記載技術の指示選択判断部１０によっても実現可能である。 
　 
　このように，基礎明細書等に記載された，「ポイント動作の中止を検出する」「検出手段４６」は，優先基礎出願の出願当時に存在した公知例１記載技術，公知例２記載技術，公知例３記載技術のいずれによっても，「前記指定手段が表示ユニットの画面上から離されること」，すなわち前記指定手段が表示ユニットの画面上に触れていた状態から離された状態に遷移したこと，を検出することなく，実現可能であったから，基礎明細書等に記載された検出手段４６が「上記指定手段での指定操作を終えるための所定の操作として，前記指定手段が表示ユニットの画面上から離されることを検出する」ものであることまでが自明であったとはいえない。
　
　したがって，本願発明の「前記検出手段は，上記指定手段での指定操作を終えるための所定の操作として，前記指定手段が表示ユニットの画面上から離されることを検出する」ことは，基礎明細書等の記載から自明ではない。
　 
　 
　なお，請求人が主張するとおり，本願発明の「上記指定手段での指定操作を終えるための所定の操作として，前記指定手段が表示ユニットの画面上から離されることを検出する」「前記検出手段」に相当するものとして，タッチペンがディスプレイ画面から離されたことを検出して，タッチペンによるポイント動作の中止を検出する検出手段が，優先基礎出願の出願当時における周知・慣用技術であったとしても，基礎明細書等には，検出手段４６は「上記指定手段での指定操作を終えるための所定の操作として，前記指定手段が表示ユニットの画面上から離されることを検出する」ことが明らかであって，基礎明細書等には「上記指定手段での指定操作を終えるための所定の操作として，前記指定手段が表示ユニットの画面上から離されることを検出する」検出手段が記載されているのと同然である，と当業者が理解するに足りる根拠となる記載は見出せない。
　すなわち，基礎明細書等の段落【００５８】には，「図１３に，図２に原理構成を図示した本発明の情報処理装置１の一実施例を図示する。」と記載されている（上記「（２−２）優先基礎出願の願書に最初に添付された明細書及び図面（ウ）」の冒頭を参照。）から，基礎明細書等に記載されたポイント装置５１はポインティング手段４１の一実施例であるとはいえるものの，【図１５】には，ポイント装置５１に関して，符号「５１」が付された棒状の図形が記載されているに過ぎず（上記「（２−２）優先基礎出願の願書に最初に添付された明細書及び図面（オ）」を参照。），ポイント装置５１全体またはポインティング手段４１全体の中で，前記棒状の図形で示される部材がどのような役割を果たすのかについては，【図１５】にも発明の詳細な説明にも記載されていないから，基礎明細書等から把握できることは，ポインティング手段４１は少なくとも一部が棒状の形状を有する手段であってもよいこと，にとどまるのであって，「特願平７−３０４０３６号の図１５のポイント装置５１の形状を参照すると，ポイント装置５１がタッチペンであることは自明である」という請求人の主張（「（２−１）請求人の主張」を参照。）は失当である。
　
　
（２−４）まとめ
　  
　上記「（２−３）判断」で示したように，本願発明の発明特定事項である「前記検出手段は，上記指定手段での指定操作を終えるための所定の操作として，前記指定手段が表示ユニットの画面上から離されることを検出する」点は，優先基礎出願の願書に最初に添付した明細書又は図面に記載されておらず，優先基礎出願の願書に最初に添付した明細書又は図面に記載された事項から自明な事項でもないから，本願発明は，優先基礎出願の願書に最初に添付した明細書又は図面に記載された発明ではない。  
　  
　よって，本願発明には優先基礎出願による優先権の効力は及ばない。  
　  
　  
（３）先願明細書に記載された発明  
　  
　当審における平成２１年１１月２４日付け拒絶の理由に引用された，本願の出願日前の平成７年１２月１５日に出願された他の特許出願であって，本願の出願後である平成９年６月２４日に出願公開がされた特願平７−３２７６９６号（以下，「先願」という。）（特開平９−１６７０５８号公報）の願書に最初に添付された明細書及び図面（以下，「先願明細書等」という。）には，以下のような記載がある。  
　  
（カ）「【０００７】  
　　【発明が解決しようとする課題】  
　ところが，上記特開平５−２０４５７７号公報に開示されているメニューの表示方法を用いた場合，表示画面上に，メニューが広域に渡って分散表示されることを防ぐことはできるものの，未だ，分散表示されたメニューが表示画面のかなりの割合を占めている。さらに，適切な項目を指示するためには，メニューあるいはサブメニュー等が表示される度にマウス等を移動操作する必要がある。このため，メニューが表示画面において占める割合，メニューの探しやすさ，および，マウス等の移動量等の点から，操作性が充分に改善されているとは言い難い。  
　　　【０００８】  
　また，上記特開平５−１０８０１８号公報に開示されているアイコン表示装置は，各アイコンの選択頻度に応じてアイコンのサイズを変えることで所望する項目を探しやすくなってはいるものの，アイコンは分散表示されたままであり，また，メニュー選択の際のマウスやペン等の移動量が大きいという問題点を有している。  
　　　【０００９】  
　さらに，従来の情報処理装置では，上記のようにメニュー選択のみならず，例えば，表計算ソフト等で入力項目等を移動させる際にも，マウスやペン等の移動量が大きく，このことが，操作性を低下させる要因となっている。
　　　【００１０】  
　本発明は，上記各問題点に鑑みなされたものであって，その目的は，操作性を向上させることができる情報処理装置を提供することにある。」（段落【０００７】〜【００１０】）  
　  
（キ）「【００２４】  
　　【発明の実施の形態】  
〔実施の形態１〕  
　本発明の一実施の形態について，図１ないし図９に基づいて説明すれば，以下の通りである。  
　　　【００２５】  
　本実施の形態にかかる情報処理装置は，図１に示すように，ペン入力／表示装置１１と，ペン入力／表示装置１１を制御する制御装置１２と，上記ペン入力／表示装置１１および制御装置１２により処理されるメニュー項目等を記憶する図示しない記憶手段とを備えている。  
　　　【００２６】  
　上記ペン入力／表示装置１１は，例えば，図２に示すように，座標等の情報を入力するペン（入力ペン）１と，ペン１により指定された座標に，メニュー項目等の画像情報を表示する表示装置２とを備えている。つまり，上記制御装置１２は，上記ペン１からの入力信号に基づいて，上記表示装置２の表示を制御する。これにより，ペン入力／表示装置１１は，ペン先端部１ａを表示装置２の表示画面２ａに接触，つまり，ペンダウンさせ，一定時間ペン先端部１ａの座標を固定することで，この座標に，メニュー項目を表示するようになっている。  
　　　【００２７】  
　上記制御装置１２は，図１に示すように，経過時間測定手段としての経過時間測定処理部１３と，メニュー呼出手段としてのメニュー呼出処理部１４と，メニュー表示切替手段としてのメニュー表示切替処理部１５と，メインメニュー／サブメニュー切替手段としてのメインメニュー／サブメニュー切替処理部１６と，メニュー確定手段としてのメニュー確定処理部１７と，ペン移動認識手段としてのペン移動認識処理部１８と，ペン座標測定手段としてのペン座標測定処理部１９とを備えている。  
　　　【００２８】  
　このうち，上記ペン座標測定処理部１９は，ペン先端部１ａが表示画面２ａに接触することによって入力する座標を測定するようになっている。  
　　　【００２９】  
　経過時間測定処理部１３は，ペン先端部１ａが表示画面２ａに接触してから経過した時間，即ち，ペン先端部１ａが表示画面２ａに接触し続けている時間を測定するようになっている。  
　　　【００３０】  
　ペン移動認識処理部１８は，上記経過時間測定処理部１３によって測定された時間に基づいて，上記ペン座標測定処理部１９により測定された座標が変わったかどうか判定する。これにより，ペン１が表示画面２ａに接触してからペン１が移動したかどうか（固定されているかどうか）を判定すると共に，移動した場合はどの方向に移動したかについて判定するようになっている。  
　　　【００３１】  
　また，メニュー呼出処理部１４は，上記ペン１が所定時間，表示画面２ａ上に固定されていると判定されたときに，予め用意したメニュー項目を表示画面２ａ上に呼び出すようになっている。例えば，上記ペン移動認識処理部１８により，ペン先端部１ａの座標が同一座標で所定時間固定されていると判断されれば，この座標に，メニューの最初の項目を表示画面２ａ上に呼び出して表示させる。  
　　　【００３２】  
　メニュー表示切替処理部１５は，上記ペン移動認識処理部１８からのペン１の認識情報に基づいてメニュー呼出処理部１４によって呼び出されたメニュー項目の表示を切り替えるようになっている。例えば，上記経過時間測定処理部１３およびペン移動認識処理部１８により，ペン先端部１ａの座標が同一座標で所定時間固定されていると判断されれば，ペン先端部１ａが同一座標にある間中，この座標に表示されるメニュー項目の内容を，経過時間測定処理部１３により測定した一定時間毎に，所定の順番で切り替える。また，ペン１が移動した方向に基づいて，メニュー項目を表示する順番を変更し，同様の処理を行う。  
　　　【００３３】  
　メインメニュー／サブメニュー切替処理部１６は，上記ペン移動認識処理部１８によって認識されたペン１の移動方向に基づいて，メニュー呼出処理部１４によって呼び出されるメニュー項目であるメインメニューとサブメニューとの切り替えを行うようになっている。例えば，メインメニューが表示されているときに，上記経過時間測定処理部１３およびペン移動認識処理部１８により，ペン先端部１ａの座標がサブメニューの表示方向（例えば表示画面２ａにおける左方向）に移動したと判断された場合，メインメニュー表示からサブメニュー表示に切り替え，サブメニューの最初の項目を表示させる。また，例えば，サブメニューが表示されているときに，上記経過時間測定処理部１３およびペン移動認識処理部１８により，ペン先端部１ａの座標がメインメニューの表示方向（例えば表示画面２ａにおける右方向）に移動したと判断された場合，サブメニュー表示からメインメニュー表示に切り替え，メインメニューの最初の項目を表示させる。  
　　　【００３４】  
　メニュー確定処理部１７は，ペン３の接触の解除，即ち，ペンアップにより，ペンアップ時に表示画面２ａに表示されているメニュー項目を確定するようになっている。  
　　　【００３５】  
　以下に，上記制御装置１２におけるメニュー呼出制御について，図３に示すフローチャートを用いて図２および図５を参照しながら説明する。  
　　　【００３６】  
　先ず，表示画面２ａにペン先端部１ａが接触されると（Ｓ１），上記経過時間測定処理部１３によって，ペン先端部１ａが表示画面２ａに接触してから経過した時間を測定し，ペン移動認識処理部１８によって，ペン先端部１ａがその座標で２秒間固定されているかどうか判断する（Ｓ２）。このとき，ペン先端部１ａの座標が２秒間固定されていれば，メニュー呼出処理部１４によりメニューを呼出して，メニューの最初の項目，例えば，図２に示すように，「削除」を表示し，表示順序を降順，つまり，図５に示す矢印の順序に設定する（Ｓ３）。一方，ペン先端部１ａがその座標で２秒間固定されていなければ，メニューを表示しない（Ｓ４）。  
　　　【００３７】  
　このとき，上述したように，（Ｓ２）において，ペン先端部１ａが表示画面２ａに接触してから経過した時間は，上記経過時間測定処理部１３によって測定されるが，ペン１が滑りやすいため，意図せずしてペン先端部１ａの座標が変わる虞れがある。このため，予め設定した有効範囲内に，一定時間，ペン先端部１ａの座標に変更がなければ，ペン移動認識処理部１８によって，ペン先端部１ａの座標は，固定されているものと判定する。  
　　　【００３８】  
　以下に，この判定の制御について，図４に示すフローチャートを用いて説明する。  
　　　【００３９】  
　先ず，ペンダウン時におけるペン先端部１ａの座標，および，座標の有効範囲を，予め設定した誤差値を用いて獲得する（Ｓ５）。そして，ペン先端部１ａの座標が２秒間有効範囲内にあれば（Ｓ６），ペン先端部１ａは固定されているものと見なし（Ｓ７），そうでない場合は，ペン先端部１ａは固定されていないものと見なす（Ｓ８）。ペン先端部１ａが固定されていない場合には，つまり，始めに記憶した座標と異なる座標データが入力されると，現在の座標データと開始時の座標データとの差から，移動勾配を計算する（Ｓ９）。そして，求めた勾配から上下左右のどの方向にペン先端部１ａが移動したかを求める（Ｓ１０）。  
　　　【００４０】  
　次に，このようにして呼び出されたメニューの表示制御について図５〜図９を用いて以下に説明する。  
　　　【００４１】  
　図５に，ペン１を表示画面２ａ上に固定，または，表示画面２ａの下方向に移動させた場合において，メニュー項目が切り替わる状態を示す。先ず，ペン先端部１ａが表示画面２ａに，２秒間固定されると，ペン先端部１ａの座標位置に，最初に，「削除」というメニュー項目が表示される。そして，ペン１を表示画面２ａに固定させたままにすることで，メニュー表示切替処理部１５により，ペン１が同一座標に接触している間，１秒間隔でメニュー項目を最初の「削除」から，「切取（カット）」，「複写（コピー）」，「貼込（ペースト）」，「検索」，「中止」の順番で切り替えるようになっている。このメニュー項目の表示はトグルになっており，「中止」の表示後，「削除」を表示する。  
　　　【００４２】  
　また，この状態でペン１を移動させて，その移動方向をペン移動認識処理部１８によって検出することで，その移動方向をもとに，表示画面２ａに，メニュー表示切替処理部１５により，メニュー項目を逆順に表示させたり，メインメニュー／サブメニュー切替処理部１６により，メインメニューからサブメニューに表示を切り替えたり，サブメニューからメインメニューに表示を切り替えたりするようになっている。  
　　　【００４３】  
　メインメニューを上記と逆順に表示させる場合には，例えば，図６に示すように，ペン１を表示画面２ａの上方向に移動させればよい。これにより，ペン１が同一座標に接触している間，１秒間隔でメニュー項目を，最初の「削除」から，「中止」，「検索」，「貼込（ペースト）」，「複写（コピー）」，「切取（カット）」の順番で切り替える。  
　　　【００４４】  
　また，この状態からメインメニューを降順に表示させる場合，即ち，メニュー項目を，最初の「削除」から，「切取（カット）」，「複写（コピー）」，「貼込（ペースト）」，「検索」，「中止」の順番で切り替える場合には，再びペン１を表示画面２ａの下方向に移動させればよい。  
　　　【００４５】  
　サブメニューがある場合には，例えば，図７に示すように，ペン１を表示画面２ａにおける左方向に移動させることによって，メインメニューの「削除」からサブメニューの「１データ削除」に表示を切り替える。  
　　　【００４６】  
　その後，ペン１を固定したままにすると，１秒間隔でサブメニュー項目の表示を，最初の「１データ削除」から，「１日単位削除」，「週間単位削除」，「月間単位削除」，「戻る」の順番で切り替える。  
　　　【００４７】  
　サブメニューからメインメニューへ表示を切り替える場合には，例えば，図８に示すように，ペン１を元のメインメニューの表示方向，つまり，表示画面２ａにおける右方向に移動させることによって，サブメニューの「１データ削除」からメインメニューの「削除」に表示を切り替える。  
　　　【００４８】  
　その後，ペン１を固定したままにすると，１秒間隔でメインニュー項目の表示を，最初の「削除」から，「切取（カット）」，「複写（コピー）」，「貼込（ペースト）」，「検索」，「中止」の順番で切り替える。  
　　　【００４９】  
　そして，このように，メニュー表示の切り替え後，目的のメニュー項目が表示されたところでペン１をペンアップすることにより，メニュー確定処理部１７により，メニュー項目が確定される。  
　　　【００５０】  
　ここで，上記メニュー項目の表示を切り替える際の制御について，図９に示すフローチャートを用いて，図５，図７，および，図８を参照しながら以下に説明する。  
　　　【００５１】  
　先ず，（Ｓ３）において，表示画面２ａ上に，最初のメニュー項目が表示された状態から，ペン移動認識処理部１８によりペン１が表示画面２ａに１秒間接触されているかどうか判別する（Ｓ１１）。このとき，ペン１が１秒間接触されていなければ，現在表示しているメニュー項目を選択したものとみなし（Ｓ１２），メニュー確定処理部１７により，メニューの確定を行う。一方，（Ｓ１１）において，ペン１が１秒間接触されていれば，ペン１が表示順序の逆方向，例えば，表示画面２ａにおける上方向に移動したかどうかについて調査する（Ｓ１３）。尚，表示順序の逆方向とは，ペン１をある一定の方向，例えば，ペン１を表示画面２ａの下方向に移動させたときにメニュー項目を表示する順序（この場合は，図５に示す降順の順序）を正順序としたときに，正順序でメニュー項目を表示させるように定めたペン１の移動方向とは逆の方向を示す。  
　　　【００５２】  
　そして，（Ｓ１３）において，ペン１が表示順序の逆方向に移動したと判断された場合，表示順序を現在の逆方向に設定する（Ｓ１４）。  
　　　【００５３】  
　次いで，現在表示しているメニューがメインメニューかどうかについて調査する（Ｓ１５）。  
　　　【００５４】  
　現在表示しているメニューがメインメニューの場合，表示しているメニュー項目にサブメニューがなければ（Ｓ１７），メニュー表示切替処理部１５によってメインメニューの次項目を表示順序に従って表示する（Ｓ２０）。サブメニューがあれば，ペン１がサブメニューの表示方向，図７においては左方向に移動したかどうかについて調査する（Ｓ１８）。ペン１がサブメニューの表示方向に移動していれば，メインメニュー／サブメニュー切替処理部１６により，メインメニューからサブメニューに表示を切り替え（Ｓ１９），そうでなければ，メニュー表示切替処理部１５によってメインメニューの次項目を表示順序に従って表示する（Ｓ２０）。  
　　　【００５５】  
　一方，現在表示しているメニューがメインメニューでない場合，即ち，現在表示しているメニューがサブメニューの場合，ペン１がメインメニューの表示方向（図８においては右方向）に移動したならば（Ｓ１６），メインメニュー／サブメニュー切替処理部１６により，サブメニューからメインメニューに表示を切り替え（Ｓ２１），そうでなければ，メニュー表示切替処理部１５によってサブメニューの次項目を表示順序に従って表示する（Ｓ２０）。尚，上記のフローチャートにおいて，ペン１が固定されているか，または，上下左右どの方向に移動したかについては，図４に示すフローチャートの処理で判定する。  
　　　【００５６】  
　このように，上記メニュー表示の切り替え制御を行う際には，ペン入力／表示装置１１におけるペン１の操作によって，ペン移動認識処理部１８からペン１の移動方向を認識し，その移動方向をもとに，メニュー表示切替処理部１５，メインメニュー／サブメニュー切替処理部１６，メニュー確定処理部１７により，メニュー項目の表示の切り替えや，メインメニューとサブメニューとの切り替えや，メニューの確定を行うようになっている。  
　　　【００５７】  
　以上のように，本実施の形態に係る情報処理装置は，上記制御装置１２が，経過時間測定処理部１３と，メニュー呼出処理部１４と，ペン移動認識処理部１８と，ペン座標測定処理部１９とを備えることでペン１に特別な装置を設けることなく，また，表示画面２ａ上に特定のオブジェクトを設けることなく，ペン１を表示画面２ａ上に，一定時間固定させるだけの僅かな操作によって，メニュー項目を表示画面２ａ上に，自動的に表示することができる。また，上記情報処理装置において，表示画面２ａに表示されるメニュー項目は一つだけであるので，メニューが表示画面２ａにおいて分散表示されず，また，メニューが表示画面２ａにおいて占める割合を削減することができる。このため，上記情報処理装置は，従来の情報処理装置と比較して，操作性を向上させることができるものである。  
　　　【００５８】  
　また，上記制御装置１２が，メニュー表示切替処理部１５とメニュー確定処理部１７とをさらに備えることで，ペン１の状態，つまり，ペン１が，表示画面２ａ上に固定されているか否か，また，どの方向に移動したかによって，メニュー項目の表示の切り替えやメニューの確定を行うことができる。
　　　【００５９】  
　つまり，上記情報処理装置においては，表示画面２ａに表示されるメニュー項目は一つだけであるので，メニュー項目が多い場合でも，メニューが表示画面２ａにおいて占める割合を削減することができ，すっきりとした表示を実現することができる。さらに，ペン１を表示画面２ａ上に固定させたままにすることで，一定時間毎に自動的にメニュー項目が切り替わるので，メニューが広い範囲に渡って分散して表示される場合と比較して，所望するメニュー項目を探しやすく，また，メニュー項目を選択するために必要とするペン１の移動量を低減させることができる。また，ペン１を僅かに移動させるだけで，その移動方向に基づいて，メニュー項目の表示の順序を切り替えることができるので，例えば，前に表示されたメニュー項目を再度確認したい場合でも，メニュー項目が一巡されるまで待つ必要はない。さらに，メニューを決定する際には，単にペンアップさせるだけでメニューの確定を容易に行うことができる。これらのことから，上記情報処理装置は，操作性をさらに向上させることができるものである。  
　　　【００６０】  
　また，上記制御装置１２が，メニュー／サブメニュー切替処理部１６をさらに備えることで，ペン１を僅かに移動させるだけで，メインメニューとサブメニューとの切り替えを容易に行うことができる。また，サブメニューがある場合でも，表示画面２ａ上に表示されるメニュー項目は一つだけであるので，すっきりとした表示を実現することができる。また，ペン１を表示画面２ａに固定させたままにすることで，一定時間毎に自動的にメニュー項目が切り替わるので，サブメニューが多い場合でも，所望するメニュー項目を探しやすく，また，メニュー項目を選択するために必要とするペン１の移動量を低減させることができる。また，この場合にも，メニューを決定する際には，単にペンアップさせるだけでメニューの確定を容易に行うことができる。これらのことから，上記情報処理装置は，操作性をより一層向上させることができるものである。」（段落【００２４】〜【００６０】）  
　  
（ク）【図７】には，「上記の情報処理装置において，メインメニューからサブメニューに切り替えた場合のメニューの表示を示す説明図」（【図面の簡単な説明】による。）として，符号「１」及び「１ａ」で示されるペン状の図形，及び「１データ解除」という文字列を囲む矩形が，ペン状図形の一端と矩形とが接するように描かれている。  
　  
　  
　以上の記載から，先願明細書等には，以下の発明（以下，「先願発明」という。）が記載されていると認められる。  
　  
「ペン先端部を表示装置の表示画面に接触，つまり，ペンダウンさせ，一定時間ペン先端部の座標を固定することで，この座標に，メニューの項目を表示するようになっているペン入力／表示装置と，ペン入力／表示装置を制御する制御装置とを備える情報処理装置であって，  
先ず，表示画面にペン先端部が接触されると，ペン先端部が表示画面に接触してから経過した時間を測定し，ペン先端部の座標が一定時間固定されていれば，メインメニューを呼出して，メインメニューの最初の項目を表示し， 
メインメニューを表示しているときに，表示している項目にサブメニューがあれば，ペン先端部の座標がサブメニューの表示方向（例えば表示画面における左方向）に移動したかどうか調査し，サブメニューの表示方向に移動したと判断された場合，メインメニュー表示からサブメニュー表示に切り替え，サブメニューの最初の項目を表示させ，  
ペン先端部の座標が同一座標で所定時間固定されていると判断されれば，ペン先端部が同一座標にある間中，この座標に表示されるサブメニューの項目の内容を，一定時間毎に，所定の順番で切り替え，  
目的のサブメニューの項目が表示されたところでペンをペンアップすることにより，サブメニューの項目が確定され，  
ペンを僅かに移動させるだけで，メインメニューとサブメニューとの切り替えを容易に行うことができ，また，サブメニューがある場合でも，表示画面上に表示されるメニューの項目は一つだけである，情報処理装置。」  
　  
　  
（４）対比  
　  
　本願発明と先願発明とを対比する。  
　  
　先願発明の「表示装置」，「表示画面」，「ペン」，「メインメニューの項目」，及び「サブメニューの項目」は，それぞれ本願発明の「表示ユニット」，「画面」，「指定手段」，「メニュー」，及び「メニュー項目」に相当する。  
　  
　先願発明は，メインメニューを表示しているときに，表示している項目にサブメニューがあれば，ペンがサブメニューの表示方向に移動されたことに応じて，サブメニューの最初の項目を表示させ，その後，ペンを固定したままにすると，サブメニューの項目を一つずつ，一定時間毎に所定の順番で切り替えながら表示するものであり，ここで，サブメニューの項目は，直前に表示していたメインメニューの項目に含まれるサブメニューのものであることは明らかであって，また，メインメニューを表示しているときに，ペンをサブメニューの表示方向に移動させて，その後目的とするサブメニューのメニュー項目が表示されるまで固定するという一連の操作は，本願発明の「指定手段の指定操作」に相当するから，先願発明は，本願発明の「制御手段」と「該指定手段の指定操作に応答して，該指定されたメニューに含まれるメニュー項目を，該表示ユニットの画面上」の「位置に所定のインターバルにて１つ１つ表示させる」点で共通する制御手段を備えているといえる。  
　  
　先願発明は，目的のサブメニューの項目が表示されたところでペンをペンアップすることにより，ペンアップ時に画面に表示されているサブメニューの項目を確定するものであり，ここで，前記ペンアップとは，ペンの表示画面への接触を解除するとともに，メインメニューを表示しているときに，ペンをサブメニューの表示方向に移動させて，その後目的とするサブメニューのメニュー項目が表示されるまで固定するという上記一連の操作を終えるための操作であるから，先願発明は，「上記指定手段での指定操作を終えるための所定の操作として，前記指定手段が表示ユニットの画面上から離されることを検出する」「検出手段」と，「該検出手段が所定の操作を検出したときに，表示ユニットの画面上に表示されたメニュー項目を，起動すべきメニュー項目として選択する選択手段」とを有しているといえる。  
　  
　そして，先願発明の「情報処理装置」は，表示装置の表示画面上から選択されたサブメニューの項目に対応する処理を実行する「情報処理装置」である。  
　  
　  
　したがって，本願発明と先願発明とは，以下の点で一致ないし一応相違する。  
　  
＜一致点＞  
「表示ユニットの画面上から選択されたメニュー項目に対応する処理を実行する情報処理装置において，  
　表示ユニットの画面においてメニューを指定する指定手段と，  
　該指定手段の指定操作に応答して，該指定されたメニューに含まれるメニュー項目を，該表示ユニットの画面上の位置に所定のインターバルにて１つ１つ表示させる制御手段と，  
　所定の操作を検出する検出手段と，  
　該検出手段が所定の操作を検出したときに，表示ユニットの画面上に表示されたメニュー項目を，起動すべきメニュー項目として選択する選択手段とを有し，  
　前記検出手段は，上記指定手段での指定操作を終えるための所定の操作として，前記指定手段が表示ユニットの画面上から離されることを検出する情報処理装置。」である点。  
　  
＜相違点＞  
　制御手段が表示ユニットの画面上にメニュー項目を表示する際の表示位置について，本願発明では「画面上において該指定手段にて指定された位置」であるのに対して，先願発明では明記されていない点。  
　  
　  
（５）判断  
　  
　上記一応の相違点について検討する。先願明細書等には，「ペン先端部１ａを表示装置２の表示画面２ａに接触，つまり，ペンダウンさせ，一定時間ペン先端部１ａの座標を固定することで，この座標に，メニュー項目を表示するようになっている」こと（上記「（３）先願明細書に記載された発明（キ）」の段落【００２６】を参照。），「ペン１を僅かに移動させるだけで，メインメニューとサブメニューとの切り替えを容易に行うことができる」こと（（上記「（３）先願明細書に記載された発明（キ）」の段落【００６０】を参照。），ペン先端部が表示画面に接触している位置にサブメニューが表示される様子（上記「（３）先願明細書に記載された発明（ク）」を参照。），が記載されているから，先願明細書等には，最初にペンを固定した座標にメインメニューを表示し，当該座標から僅かに移動した後のペンの先端部の位置に，サブメニューの項目を表示することが示唆されているといえ，上記一応の相違点は，課題解決のための具体化手段における微差である。  
　  
　したがって，本願発明は，先願発明と同一であり，しかも，本願発明の発明者が先願発明の発明者と同一ではなく，また本願の出願時において，その出願人が先願の出願人と同一でもないので，本願発明は，特許法第２９条の２の規定により，特許を受けることができない。  
　  
　  
（６）むすび  
　  
　以上のとおり，本願発明は，その出願の日前の特許出願であって，その出願後に出願公開がされた先願の願書に最初に添付した明細書又は図面に記載された発明と同一であり，しかも，この出願の発明者が先願の発明をした者と同一ではなく，また，この出願のときにおいて，その出願人が先願の出願人とも同一でないので，特許法第２９条の２の規定により特許を受けることができない。  
　  
　したがって，本願は拒絶すべきものである。　  
　  
　よって，結論のとおり審決する。